(57)【要約】【課題】光学レンズの種類によって静電気などに起因する粉粒体の付着の程度がどのくらい異なるかを一目瞭然に比較することが可能なだけでなく、粉粒体を飛散させることがない光学レンズのデモンストレーション装置を提供する。【解決手段】少なくとも２つの光学レンズ２ａ、２ｂを保持可能なレンズ保持部５と、これら光学レンズ２ａ、２ｂとレンズ保持部５とを収容する収容容器４と、粉粒体３を循環させながら光学レンズ２ａ、２ｂの表面に供給可能な粉粒体供給手段６とを備え、収容容器４は、粉粒体供給手段６から光学レンズ２ａ、２ｂに供給される粉粒体３を貯留するように密封構造に形成されるとともに、光学レンズ２ａ、２ｂ表面に付着する粉粒体３を外部から視認可能な透明部を有している。【選択図】図１
0003128805.tif 000002
【実用新案登録請求の範囲】
【請求項１】
少なくとも２つの光学レンズを保持可能なレンズ保持部と、
これら光学レンズとレンズ保持部とを収容する収容容器と、
この収容容器の中のレンズ保持部に保持された光学レンズの表面に粉粒体を循環させながら供給可能な粉粒体供給手段と、
を備え、
上記収容容器は、粉粒体供給手段から光学レンズに供給される粉粒体を貯留するように密封構造に形成されるとともに、光学レンズ表面に付着する粉粒体を外部から視認可能な透明部を有していることを特徴とする光学レンズのデモンストレーション装置。
【請求項２】
上記粉粒体供給手段は、上記収容容器の内部に設けられた送風ファンとこの送風ファンを回転させるモーターとを備え、
上記送風ファンは、モーターによって回転駆動され、収容容器に貯留された粉粒体を空気とともに吸い込むとともに収容容器の中で攪拌循環させて光学レンズに供給するように構成されていることを特徴とする請求項１に記載の光学レンズのデモンストレーション装置。
【請求項３】
上記粉粒体供給手段は、送風ファンを回転させるモーターに対して電気を供給する電池を収容する電池保持器と、この電池保持器からモーターへの電気の供給をオンオフするスイッチとを備えていることを特徴とする請求項２に記載の光学レンズのデモンストレーション装置。
【請求項４】
上記送風ファンは、上記収容容器の底部において上向きに送風するように設けられ、
上記レンズ保持部は、収容容器に貯留されている粉粒体の上方に概ね水平に設けられた格子状のレンズ受け部と、このレンズ受け部の側方に設けられ、光学レンズ受け部を収容容器の内壁に着脱自在に支持する吸盤部とを備え、
上記レンズ保持部は、上記収容容器の内壁から取り外されて上方から収容容器の底部に送風ファンを配置可能な状態と、容器部の内壁に取り付けられて光学レンズを保持可能な状態との間で状態変更可能に設けられていることを特徴とする請求項２または請求項３のいずれか１項に記載の光学レンズのデモンストレーション装置。
【請求項５】
上記粉粒体供給手段は、上記収容容器の側壁に設けられた開口に接続される空気吹き込みホースを備え、
上記空気吹き込みホースを介して収容容器の内部に吹き込まれる空気によって収容容器に貯留された粉粒体を収容容器の中で攪拌循環させて光学レンズに供給するように構成されていることを特徴とする請求項１に記載の光学レンズのデモンストレーション装置。
【請求項６】
上記収容容器は、粉粒体を底部に貯留可能な上方開口有底の容器部と、この容器部の開口部を覆って密封する蓋部と、容器部に蓋部を着脱可能に固定する固定具とを備え、少なくとも上記容器部は、外部から内部を視認可能な透明材料で構成されていることを特徴とする請求項１ないし請求項５のいずれか１項に記載の光学レンズのデモンストレーション装置。
【請求項７】
上記粉粒体は、発泡スチロールの粉体を含んでいることを特徴とする請求項１ないし請求項６のいずれか１項に記載の光学レンズのデモンストレーション装置。
【考案の詳細な説明】
【技術分野】
【０００１】
本考案は、光学レンズのデモンストレーション装置に関するものである。
【背景技術】
【０００２】
一般に、合成樹脂製の光学レンズは、静電気を帯びやすく、塵埃などが付着しやすいという欠点があるが、近年、静電気対策を施した合成樹脂製の光学レンズが種々開発されている。
【０００３】
このような静電気対策を施した光学レンズの優位性を示すためのデモンストレーション方法としては、従来は、発泡スチロールなどの粉粒体を光学レンズの表面に振りかけて、レンズの種類によって粉粒体の付着程度がどのくらい異なるかを比較する方法が一般的であった。
【考案の開示】
【考案が解決しようとする課題】
【０００４】
しかしながら、上述のデモンストレーション方法では、粉粒体を光学レンズに振りかけるので、周囲に粉粒体が飛散することが避けられなかった。
【０００５】
本考案は上記不具合に鑑みてなされたものであり、光学レンズの種類によって静電気などに起因する粉粒体の付着の程度がどのくらい異なるかを一目瞭然に比較することが可能なだけでなく、粉粒体を飛散させることがない光学レンズのデモンストレーション装置を提供することを課題としている。
【０００６】
なお、本願に記載する光学レンズのデモンストレーション装置は、上述の光学レンズのデモンストレーション装置の従来技術のいずれにも該当せず、出願人の知る限りでは本願出願に類する公知例が無いため、本出願の時点では開示すべき先行技術文献情報は保有していない。
【課題を解決するための手段】
【０００７】
上記課題を解決するための本考案は、少なくとも２つの光学レンズを保持可能なレンズ保持部と、これら光学レンズとレンズ保持部とを収容する収容容器と、この収容容器の中のレンズ保持部に保持された光学レンズの表面に粉粒体を循環させながら供給可能な粉粒体供給手段と、を備え、上記収容容器は、粉粒体供給手段から光学レンズに供給される粉粒体を貯留するように密封構造に形成されるとともに、光学レンズ表面に付着する粉粒体を外部から視認可能な透明部を有していることを特徴とする光学レンズのデモンストレーション装置である。
【０００８】
本考案によれば、レンズ保持部に保持された少なくとも２つの光学レンズの表面に粉粒体を供給することができるとともに、収容容器の透明部を通して光学レンズ表面に付着する粉粒体を外部から視認することができるので、光学レンズの種類によって静電気などに起因する粉粒体の付着の程度がどのくらい異なるかを一目瞭然に比較することができる。その結果、粉粒体の付着が少ないことをアピールしたい光学レンズの優位性を強く印象付けることができる。
【０００９】
また、収容容器が密封構造に形成されるので、粉粒体を飛散させることがない。
【００１０】
ここで、上記粉粒体供給手段は、上記収容容器の内部に設けられた送風ファンとこの送風ファンを回転させるモーターとを備え、上記送風ファンは、モーターによって回転駆動され、収容容器に貯留された粉粒体を空気とともに吸い込むとともに収容容器の中で攪拌循環させて光学レンズに供給するように構成されていることが好ましい。
【００１１】
このようにすれば、モーターによって回転駆動される送風ファンが、収容容器に貯留された粉粒体を収容容器の中で攪拌循環させて光学レンズに供給するので、粉粒体を循環させるための循環路を別途設ける必要がないなど、装置を簡単で安価なものにすることができる。
【００１２】
また、上記粉粒体供給手段は、送風ファンを回転させるモーターに対して電気を供給する電池を収容する電池保持器と、この電池保持器からモーターへの電気の供給をオンオフするスイッチとを備えていることが好ましい。
【００１３】
このようにすれば、電池を収容する電池保持器とこの電池保持器からモーターへの電気の供給をオンオフするスイッチとを備えているので、電源の無い場所でも、また任意のタイミングで光学レンズのデモンストレーションをすることができる。
【００１４】
さらに、上記送風ファンは、上記収容容器の底部において上向きに送風するように設けられ、上記レンズ保持部は、収容容器に貯留されている粉粒体の上方に概ね水平に設けられた格子状のレンズ受け部と、このレンズ受け部の側方に設けられ、光学レンズ受け部を収容容器の内壁に着脱自在に支持する吸盤部とを備え、上記レンズ保持部は、上記収容容器の内壁から取り外されて上方から収容容器の底部に送風ファンを配置可能な状態と、容器部の内壁に取り付けられて光学レンズを保持可能な状態との間で状態変更可能に設けられていることが好ましい。
【００１５】
このようにすれば、光学レンズが、粉粒体の上方に概ね水平に設けられた格子状のレンズ受け部に保持され、送風ファンが、収容容器の底部において上向きに設けられるので、収容容器に貯留されている粉粒体を均一に効果的に、光学レンズに供給することができる。
【００１６】
また、レンズ受け部の側方に吸盤部が設けられているので、レンズ保持部を収容容器の内壁から取り外して上方から収容容器の底部に送風ファンを配置することができる結果、送風ファンの設置のために収容容器の底部を加工する必要がなくなるなど、装置をより簡単で安価なものにすることができる。
【００１７】
あるいは、上記粉粒体供給手段は、上記収容容器の側壁に設けられた開口に接続される空気吹き込みホースを備え、上記空気吹き込みホースを介して収容容器の内部に吹き込まれる空気によって収容容器に貯留された粉粒体を収容容器の中で攪拌循環させて光学レンズに供給するように構成してもよい。
【００１８】
このようにすれば、空気吹き込みホースを介して収容容器の内部に吹き込まれる空気によって粉粒体を攪拌循環させることができるので、送風ファンや電池保持器を収容容器の中に設ける必要がなくなり、装置をさらに簡単で安価なものにすることができる。
【００１９】
また、上記収容容器は、粉粒体を底部に貯留可能な上方開口有底の容器部と、この容器部の開口部を覆って密封する蓋部と、容器部に蓋部を着脱可能に固定する固定具とを備え、少なくとも上記容器部は、外部から内部を視認可能な透明材料で構成されていることが好ましい。
【００２０】
このようにすれば、収容容器が、容器部と、蓋部と、容器部に蓋部を着脱可能に固定する固定具とを備えているので、必要に応じて蓋部を開けて光学レンズや粉粒体などを交換することができるようになる。また、容器部が透明材料で構成されているので、外部のより広い範囲から光学レンズ表面に付着する粉粒体を視認することができるようになる。
【００２１】
また、上記粉粒体は、発泡スチロールの粉体を含んでいることが好ましい。
【００２２】
このようにすれば、静電気により付着しやすい発泡スチロールの粉体が粉粒体に含まれているので、粉粒体の付着の程度をより明確に視認することができるようになる。
【考案の効果】
【００２３】
以上説明したように、本考案によれば、光学レンズの種類によって静電気などに起因する粉粒体の付着の程度がどのくらい異なるかを一目瞭然に比較することができるだけでなく、粉粒体を飛散させることがないという顕著な効果を奏する。
【考案を実施するための最良の形態】
【００２４】
以下、添付図面を参照しながら本考案の好ましい実施の一形態について詳述する。図１は、本考案の実施の形態に係る光学レンズのデモンストレーション装置１の構成を示す説明図であり、図２は、光学レンズのデモンストレーション装置１の回路の構成を示す説明図である。
【００２５】
図１と図２とを参照して、図示の本考案の実施の形態に係る光学レンズのデモンストレーション装置１は、光学レンズ２ａ、２ｂの表面に付着する粉粒体３を外部から視認するために採用される装置であり、収容容器４と、収容容器４の中に設けられた光学レンズ２ａ、２ｂを保持可能なレンズ保持部５と、この収容容器４の中のレンズ保持部５に保持された光学レンズ２ａ、２ｂの表面に粉粒体３を循環させながら供給可能な粉粒体供給手段６とを備えている。
【００２６】
上記光学レンズ２ａ、２ｂは、本実施形態では、レンズ保持部５に２つ保持されている。一方は、静電気対策を施した合成樹脂製の光学レンズ２ａであり、他方は、静電気対策を施していない合成樹脂製の光学レンズ２ｂである。本考案の実施の形態に係る光学レンズのデモンストレーション装置１は、この２つの光学レンズ２ａ、２ｂを比較して静電気対策を施した光学レンズ２ａの優位性を示すことを目的としている。
【００２７】
上記粉粒体３は、本実施形態では、発泡スチロールを細かく砕いた粉粒が採用されている。
【００２８】
上記収容容器４は、光学レンズ２ａ、２ｂとレンズ保持部５とを収容するためのプラスチック製の密封構造容器であり、容器部４ａと、蓋部４ｂと、蓋部４ｂを容器部４ａに密封状態で固定する一対の固定具４ｃとを備えている。そして、この固定具４ｃが蓋部４ｂを容器部４ａに固定した状態で、粉粒体供給手段６から光学レンズ２ａ、２ｂに供給される粉粒体３が外部に漏れることなく収容容器４の内部に貯留できるようになっている。
【００２９】
この収容容器４は、また、全体が透明のプラスチックで構成されており、内部に置かれた光学レンズ２ａ、２ｂの表面に付着する粉粒体３を外部から視認可能なように構成されている。
【００３０】
上記レンズ保持部５は、収容容器４の内部において光学レンズ２ａ、２ｂを粉粒体３の上方に保持するための部材であり、レンズ受け部５ａと、吸盤部５ｂとを備えている。
【００３１】
レンズ受け部５ａは、収容容器４に貯留されている粉粒体３の上方に概ね水平に設けられた格子状の部材であり、メッキが施された金属の棒部材を格子状に形成して籠状に構成されている。
【００３２】
また、吸盤部５ｂは、このレンズ受け部５ａの側方に設けられたゴム製の吸盤であり、レンズ保持部５を収容容器４の内壁に着脱自在に支持することができるように構成されている。
【００３３】
そして、この吸盤部５ｂを収容容器４の内壁から取り外すことにより、レンズ保持部５を収容容器４の内壁から取り外して、上方から収容容器４の底部に粉粒体３と粉粒体供給手段６の送風ファン６ａとを配置することができるようになっている。
【００３４】
上記粉粒体供給手段６は、収容容器４の内部に設けられた送風ファン６ａとこの送風ファン６ａを回転させるモーター６ｂと、モーター６ｂに対して電気を供給する電池６ｃと、モーター６ｂおよび電池６ｃ収容する電池保持器６ｄと、この電池保持器６ｄからモーター６ｂへの電気の供給をオンオフするスイッチ６ｅと、各部を電気的に接続するリード線６ｆを備え、送風ファン６ａは、モーター６ｂによって回転駆動され、収容容器４の底部において上向きに送風するように構成されている。
【００３５】
そして、この送風ファン６ａは、収容容器４に貯留された粉粒体３を空気とともに吸い込むとともに収容容器４の中で攪拌循環させて光学レンズ２ａ、２ｂに供給するように構成されている。
【００３６】
次に、図１〜図４を参照して、本考案の実施の形態に係る光学レンズのデモンストレーション装置１の作用について説明する。
【００３７】
まず、デモンストレーションに先立ち、粉粒体３と送風ファン６ａとを収容容器４に配置する要領は以下のとおりである。
【００３８】
すなわち、図１を参照して、初めに収容容器４の固定具４ｃを解除して、蓋部４ｂを容器部４ａから取り外した状態で、吸盤部５ｂを収容容器４の内壁から取り外することにより、レンズ保持部５を収容容器４の内壁から取り外す。
【００３９】
次に、上方から粉粒体３を収容容器４の内部に供給して貯留させるとともに、収容容器４の底部に粉粒体供給手段６の送風ファン６ａを配置する。
【００４０】
そして、再び、吸盤部５ｂを収容容器４の内壁に取り付けてレンズ保持部５を粉粒体３の上方に保持するとともに、このレンズ保持部５の上に光学レンズ２ａ、２ｂを載置し、固定具４ｃにより、蓋部４ｂを容器部４ａに固定する。
【００４１】
ここで、図３と図４とは、デモンストレーションの要領を示す説明図であり、図３は、送風ファン６ａが、粉粒体３を収容容器４の中で攪拌循環させて光学レンズ２ａ、２ｂに供給している状態を、図４は、送風ファン６ａが停止して、粉粒体３が、光学レンズ２ａ、２ｂの表面に付着した状態を、それぞれ示している。
【００４２】
すなわち、デモンストレーション装置１においては、スイッチ６ｅをオンして、電池保持器６ｄに収容された電池６ｃからモーター６ｂに対して電気を供給することにより、図３に示すように、送風ファン６ａが、収容容器４に貯留された粉粒体３を収容容器４の中で攪拌循環させて光学レンズ２ａ、２ｂに供給することができる。
【００４３】
また、スイッチ６ｅをオフにして、電池保持器６ｄに収容された電池６ｃからモーター６ｂに対して電気の供給を停止することにより、図４に示すように、光学レンズ２ａ、２ｂ表面に付着する粉粒体３を外部から視認することができるようになる。
【００４４】
以上説明したように、本考案の実施の形態に係る光学レンズのデモンストレーション装置１によれば、レンズ保持部５に保持された少なくとも２つの光学レンズ２ａ、２ｂの表面に粉粒体３を供給することができるとともに、収容容器４の透明部を通して光学レンズ２ａ、２ｂ表面に付着する粉粒体３を外部から視認することができるので、光学レンズ２ａ、２ｂの種類によって静電気などに起因する粉粒体３の付着の程度がどのくらい異なるかを一目瞭然に比較することができる。その結果、粉粒体３の付着が少ないことをアピールしたい光学レンズ２ａ、２ｂの優位性を強く印象付けることができる。
【００４５】
また、収容容器４が密封構造に形成されるので、粉粒体３を飛散させることがない。
【００４６】
また、モーター６ｂによって回転駆動される送風ファン６ａが、収容容器４に貯留された粉粒体３を収容容器４の中で攪拌循環させて光学レンズ２ａ、２ｂに供給するので、粉粒体３を循環させるための循環路を別途設ける必要がないなど、装置を簡単で安価なものにすることができる。
【００４７】
また、電池６ｃを収容する電池保持器６ｄとこの電池保持器６ｄからモーター６ｂへの電気の供給をオンオフするスイッチ６ｅとを備えているので、電源の無い場所でも、また任意のタイミングで光学レンズ２ａ、２ｂのデモンストレーションをすることができる。
【００４８】
また、光学レンズ２ａ、２ｂが、粉粒体３の上方に概ね水平に設けられた格子状のレンズ受け部５ａに保持され、送風ファン６ａが、収容容器４の底部において上向きに設けられるので、収容容器４に貯留されている粉粒体３を均一に効果的に、光学レンズ２ａ、２ｂに供給することができる。
【００４９】
また、レンズ受け部５ａの側方に吸盤部５ｂが設けられているので、レンズ保持部５を収容容器４の内壁から取り外して上方から収容容器４の底部に送風ファン６ａを配置することができる結果、送風ファン６ａの設置のために収容容器４の底部を加工する必要がなくなるなど、装置をより簡単で安価なものにすることができる。
【００５０】
さらに、収容容器４が、容器部と、蓋部４ｂと、容器部４ａに蓋部４ｂを着脱可能に固定する固定具４ｃとを備えているので、必要に応じて蓋部４ｂを開けて光学レンズ２ａ、２ｂや粉粒体３などを交換することができるようになる。また、容器部が透明材料で構成されているので、外部のより広い範囲から光学レンズ２ａ、２ｂ表面に付着する粉粒体３を視認することができるようになる。
【００５１】
そして、静電気により付着しやすい発泡スチロールの粉体が粉粒体３に含まれているので、粉粒体３の付着の程度をより明確に視認することができるようになる。
【００５２】
上述した実施の形態は本考案の好ましい具体例を例示したものに過ぎず、本考案は上述した実施の形態に限定されない。
【００５３】
例えば、光学レンズ２ａ、２ｂは、静電気対策を施した合成樹脂製の光学レンズと静電気対策を施していない合成樹脂製の光学レンズの組み合わせに限定されない。静電気対策を施した合成樹脂製の光学レンズ同士でも良いし、静電気対策を施していない合成樹脂製の光学レンズ同士でも良い。また、ガラスその他の材質からなる光学レンズも適用可能である。
【００５４】
粉粒体３も、本実施形態では、発泡スチロール粉粒が使用されているが、その他のプラスチックや紙などその他の材質の粉粒体が採用可能である。
【００５５】
収容容器４は、必ずしもプラスチック製に限定されない。また、全体が透明である必要もない。内部に置かれた光学レンズ２ａ、２ｂの表面に付着する粉粒体３を外部から視認可能な透明部を有する容器であれば、ガラス、金属その他の材質からなる容器なども採用可能である。
【００５６】
また、蓋部４ｂを容器部４ａに密封状態で固定する固定具４ｃは、必ずしも必須ではない。粉粒体３が外部に漏れることなく収容容器４の内部に貯留できるようになっているものであれば、固定具４ｃは、省略可能である。
【００５７】
上記粉粒体供給手段６も、必ずしも送風ファン６ａとこの送風ファン６ａを回転させるモーター６ｂとを備えたものに限定されない。図５は、本考案の変形例に係る光学レンズのデモンストレーション装置２１の構成を示す説明図である。
【００５８】
図５に示すように、本考案の変形例に係る光学レンズのデモンストレーション装置２１においては、収容容器４の側壁に設けられた開口２２を貫通して取り付けられる空気吹き込みホース２３を備えた粉粒体供給手段２６が追加されており、この空気吹き込みホース２３を介して収容容器４の内部に吹き込まれる空気２４によって、収容容器４に貯留された粉粒体３を収容容器４の中で攪拌循環させて光学レンズ２ａ、２ｂに供給するように構成されている。
【００５９】
このようにすれば、空気吹き込みホース２３を介して収容容器４の内部に吹き込まれる空気２４によって粉粒体３を攪拌循環させることができるので、送風ファン６ａや電池保持器６ｄを収容容器４の中に設ける必要がなくなり、装置をさらに簡単で安価なものにすることができる。
【００６０】
なお、粉粒体供給手段として、図１のような粉粒体供給手段６と、図５のような粉粒体供給手段２６とを両方備えることも採用可能である。
【００６１】
その他、本考案の特許請求の範囲内で種々の設計変更が可能であることはいうまでもない。
【図面の簡単な説明】
【００６２】
【図１】本考案の実施の形態に係る光学レンズのデモンストレーション装置の構成を示す説明図である。
【図２】光学レンズのデモンストレーション装置の回路の構成を示す説明図である。
【図３】本考案の実施の形態に係る光学レンズのデモンストレーション装置の作用を示す説明図であり、粉粒体供給手段の送風ファンが、粉粒体を収容容器の中で攪拌循環させて光学レンズに供給している状態を示している。
【図４】本考案の実施の形態に係る光学レンズのデモンストレーション装置の作用を示すもう一つの説明図であり、粉粒体供給手段の送風ファンが停止して、粉粒体３、光学レンズの表面に付着した状態を示している。
【図５】本考案の変形例に係る光学レンズのデモンストレーション装置の構成を示す説明図である。
【符号の説明】
【００６３】
１    光学レンズのデモンストレーション装置
２ａ、２ｂ  光学レンズ
３    粉粒体
４    収容容器
４ａ  容器部
４ｂ  蓋部
４ｃ  固定具
５    レンズ保持部
５ａ  レンズ受け部
５ｂ  吸盤部
６    粉粒体供給手段
６ａ  送風ファン
６ｂ  モーター
６ｃ  電池
６ｄ  電池保持器
６ｅ  スイッチ
２３  空気吹き込みホース
【図１】
0003128805.tif 000003
【図２】
0003128805.tif 000004
【図３】
0003128805.tif 000005
【図４】
0003128805.tif 000006
【図５】
0003128805.tif 000007